(57)【特許請求の範囲】
【請求項１】
既存天井に複数の断熱パネルが取り付けられてなる天井構造において、
前記複数の断熱パネルは、前記既存天井に対してジョイナー部材によって取り付けられており、
前記ジョイナー部材は、
前記既存天井に固定される受け部と、
前記受け部に係止されるとともに前記断熱パネルを保持する保持部と、を備えており、
前記断熱パネルの側端面には、当該側端面の中央に、かつ長さ方向に沿って溝部が形成されており、
前記ジョイナー部材の前記保持部は、前記断熱パネルの前記側端面に形成された前記溝部に挿入される保持片を有する天井構造であって、
前記ジョイナー部材は、前記複数の断熱パネルのうち隣り合う前記断熱パネルの側端面間と、前記複数の断熱パネルのうち前記既存天井の周縁部に沿って配置される断熱パネルと室内の壁との間に設けられていることを特徴とする天井構造。
【請求項２】
請求項１に記載の天井構造において、
前記受け部は、前記保持部側に突出するとともに前記保持部が係止される被係止部を有しており、
前記保持部は、前記受け部側に突出するとともに前記受け部の前記被係止部に係止される係止部を有することを特徴とする天井構造。
【請求項３】
請求項１または２に記載の天井構造において、
前記断熱パネルは、当該断熱パネルの側端部が断面コ字状に形成されることによって形成される二つの突出片と、これら二つの突出片間に位置する前記溝部と、を有しており、
前記二つの突出片のうち前記溝部よりも室内側に位置する突出片は、前記溝部よりも前記既存天井側に位置する突出片よりも突出寸法が長く設定されていることを特徴とする天井構造。
【請求項４】
請求項１〜３のいずれか一項に記載の天井構造において、
前記断熱パネルの既存天井側面と室内側面のうち少なくとも一方に、耐気体透過性を有するシート材が貼り付けられていることを特徴とする天井構造。
【請求項５】
請求項１〜４のいずれか一項に記載の天井構造において、
前記既存天井には、複数の羽板を有するルーバー装置が設置されており、
前記複数の羽板は、前記断熱パネルによって構成され、一端部を回転軸として前記既存天井から離間する方向に回転可能とされており、
前記ルーバー装置は、室内の温度に応じて前記羽板の回転を自動制御する制御手段を備えることを特徴とする天井構造。
【請求項６】
請求項１〜５のいずれか一項に記載の天井構造を構成する天井のリフォーム方法であって、
前記受け部を前記既存天井に予め固定する工程と、
前記保持部の前記保持片を前記断熱パネルの前記溝部に挿入しつつ、前記保持部を前記受け部に対して係止させる工程と、を含むことを特徴とする天井のリフォーム方法。
【発明の詳細な説明】
【技術分野】
【０００１】
本発明は、室内の天井構造および天井のリフォーム方法に関する。
【背景技術】
【０００２】
従来、リフォーム用の断熱パネルを、既存の壁の室内側や既存の天井の室内側に、当該既存の壁や天井を撤去することなく重ねて施工する技術が知られている（特許文献１参照）。
ここで使われるリフォーム用の断熱パネルは、複数の横桟木と、当該複数の横桟木間に設けられる断熱材とを一体化したものであり、天井の高さに合わせたサイズ、運搬や取扱いの容易なサイズ、住宅の基準寸法に合わせたサイズで比較的面積の広い状態に形成される。
【先行技術文献】
【特許文献】
【０００３】
【特許文献１】特開２０１３−１２４４９０号公報
【発明の概要】
【発明が解決しようとする課題】
【０００４】
ところで、断熱パネルを用いた既存天井のリフォーム方法について特許文献１の記載から類推すると、まず断熱パネルをネジや釘等の固定具や接着剤によって既存天井に固定する。続いて、別途準備された合板等の天井材を、断熱パネルを覆うようにして取り付け、さらに天井材にクロス等の仕上げ材を貼り付ける。このようにして既存天井における断熱性の向上を図るためのリフォームが行われる。
ところが、このようなリフォーム方法の場合、比較的工程数が多いことに加え、面積が広い断熱パネルを天井に対して固定具や接着剤で固定しなければならず、総じて、天井に向かって行われる作業が多くなってしまう。そのため、より簡易に作業を行いたいという要望があった。
【０００５】
本発明の課題は、既存天井における断熱性の向上を図るためのリフォームをより簡易に行うことができる天井構造および天井のリフォーム方法を提供することを目的とする。
【課題を解決するための手段】
【０００６】
請求項１に記載の発明は、例えば図１〜図３に示すように、既存天井１に複数の断熱パネル３が取り付けられてなる天井構造において、
前記複数の断熱パネル３は、前記既存天井１に対してジョイナー部材７（７Ａ，７Ｂ）によって取り付けられており、
前記ジョイナー部材７（７Ａ，７Ｂ）は、
前記既存天井１に固定される受け部８と、
前記受け部８に係止されるとともに前記断熱パネル３を保持する保持部１１と、を備えており、
前記断熱パネル３の側端面には、当該側端面の中央に、かつ長さ方向に沿って溝部４ａが形成されており、
前記ジョイナー部材７（７Ａ，７Ｂ）の前記保持部１１は、前記断熱パネル３の前記側端面に形成された前記溝部４ａに挿入される保持片１２を有することを特徴とする。
さらに、請求項１に記載の発明においては、前記ジョイナー部材は、前記複数の断熱パネルのうち隣り合う前記断熱パネルの側端面間と、前記複数の断熱パネルのうち前記既存天井の周縁部に沿って配置される断熱パネルと室内の壁との間に設けられていることを特徴とする。
【０００７】
請求項１に記載の発明によれば、断熱パネル３の側端面には、当該側端面の中央に、かつ長さ方向に沿って溝部４ａが形成されており、ジョイナー部材７（７Ａ，７Ｂ）の保持部１１は、断熱パネル３の側端面に形成された溝部４ａに挿入される保持片１２を有するので、保持片１２を断熱パネル３の溝部４ａに挿入しつつ、保持部１１を受け部８に係止させるだけで断熱パネル３を既存天井１に取り付けることができる。これによって、断熱パネル３を既存天井１に取り付ける際に、既存天井１に向かって行われる作業を減らすことができるので、複数の断熱パネル３によって既存天井１における断熱性の向上を図るためのリフォームをより簡易に行うことができる。
また、保持部１１の保持片１２が、断熱パネル３の側端面の中央に形成された溝部４ａに挿入されるので、保持片１２は、断熱パネル３の室内側面よりも既存天井１側の奥まった位置に配置されることになる。これによって、室内側から天井を見上げた際に、保持片１２が目に入りにくくなるので、室内における外観性の向上を図ることができる。
さらに、請求項１に記載の発明によれば、ジョイナー部材７（７Ａ，７Ｂ）は、複数の断熱パネル３のうち隣り合う断熱パネル３，３の側端面間と、複数の断熱パネル３のうち既存天井１の周縁部に沿って配置される断熱パネル３と室内の壁２との間に設けられているので、既存天井１全体を複数の断熱パネル３によって覆うことができる。これによって、既存天井１における断熱性を向上させることができる。
【０００８】
請求項２に記載の発明は、例えば図１〜図３に示すように、請求項１に記載の天井構造において、
前記受け部８は、前記保持部１１側に突出するとともに前記保持部１１が係止される被係止部１０を有しており、
前記保持部１１は、前記受け部８側に突出するとともに前記受け部８の前記被係止部１０に係止される係止部１３を有することを特徴とする。
【０００９】
請求項２に記載の発明によれば、保持部１１の係止部１３を、受け部８の被係止部１０に係止させることによって、保持部１１を受け部８に対して確実に係止できる。延いては断熱パネル３を既存天井１に対して確実に取り付けることができる。
また、被係止部１０は保持部１１側に突出し、係止部１３は受け部８側に突出するので、保持部１１も受け部８も互いの方向に向かって突出することになり、係止部１３を被係止部１０に係止させやすくなる。
【００１０】
請求項３に記載の発明は、例えば図１〜図３に示すように、請求項１または２に記載の天井構造において、
前記断熱パネル３は、当該断熱パネル３の側端部４が断面コ字状に形成されることによって形成される二つの突出片４ｂ，４ｃと、これら二つの突出片４ｂ，４ｃ間に位置する前記溝部４ａと、を有しており、
前記二つの突出片４ｂ，４ｃのうち前記溝部４ａよりも室内側に位置する突出片４ｂは、前記溝部４ａよりも前記既存天井１側に位置する突出片４ｃよりも突出寸法が長く設定されていることを特徴とする。
【００１１】
請求項３に記載の発明によれば、断熱パネル３の側端部４に形成された二つの突出片４ｂ，４ｃのうち溝部４ａよりも室内側に位置する突出片４ｂは、溝部４ａよりも既存天井１側に位置する突出片４ｃよりも突出寸法が長く設定されているので、室内側に位置する突出片４ｂ，４ｂ同士は、既存天井１側に位置する突出片４ｃ，４ｃ同士よりも互いに近接した状態となる。すなわち、室内側から天井を見上げた際に、複数の断熱パネル３間の隙間が小さく見えるので、室内における外観性の向上を図ることができる。
【００１４】
請求項４に記載の発明は、例えば図１，図２に示すように、請求項１〜３のいずれか一項に記載の天井構造において、
前記断熱パネル３の既存天井１側面と室内側面のうち少なくとも一方に、耐気体透過性を有するシート材６が貼り付けられていることを特徴とする。
【００１５】
請求項４に記載の発明によれば、断熱パネル３の既存天井１側面と室内側面のうち少なくとも一方に、耐気体透過性を有するシート材６が貼り付けられているので、万が一、既存天井１に使用したクロスや接着剤から化学物質が発生していた場合には、当該化学物質の室内側への放出をシート材６によって遮断することができる。これによって、室内の居住安全性を向上させることができる。
【００１６】
請求項５に記載の発明は、例えば図１〜図３に示すように、請求項１〜４のいずれか一項に記載の天井構造において、
前記既存天井１には、複数の羽板１９を有するルーバー装置１７が設置されており、
前記複数の羽板１９は、前記断熱パネル３によって構成され、一端部を回転軸２０として前記既存天井１から離間する方向に回転可能とされており、
前記ルーバー装置１７は、室内の温度に応じて前記羽板１９の回転を自動制御する制御手段を備えることを特徴とする。
【００１７】
請求項５に記載の発明によれば、室内の天井付近は、複数の断熱パネル３によって高断熱性を有した状態になっているため、室内の暖気を逃したい場合がある。そのような場合に、ルーバー装置１７の羽板１９を回転させて既存天井１から離間させることで、室内の暖気を、既存天井１を通じて天井裏１ａへと逃がすことができる。これによって、室内の温度を調節することができるので、室内の温熱環境を快適にすることができる。
【００１８】
請求項６に記載の発明は、例えば図１，図２に示すように、請求項１〜５のいずれか一項に記載の天井構造を構成する天井のリフォーム方法であって、
前記受け部８を前記既存天井１に予め固定する工程と、
前記保持部１１の前記保持片１２を前記断熱パネル３の前記溝部４ａに挿入しつつ、前記保持部１１を前記受け部８に対して係止させる工程と、を含むことを特徴とする。
【００１９】
請求項６に記載の発明によれば、保持部１１の保持片１２を断熱パネル３の溝部４ａに挿入しつつ、保持部１１を、予め既存天井１に固定された受け部８に対して係止させるだけで、断熱パネル３を既存天井１に取り付けることができる。すなわち、保持部１１による断熱パネル３の保持と、断熱パネル３の既存天井１への取付を同時に行うことができるので効率が良い。これによって、断熱パネル３を既存天井１に取り付ける際に、既存天井１に向かって行われる作業を減らすことができるので、複数の断熱パネル３によって既存天井１における断熱性の向上を図るためのリフォームをより簡易に行うことができる。
【発明の効果】
【００２０】
本発明によれば、複数の断熱パネルによって既存天井における断熱性の向上を図るためのリフォームをより簡易に行うことができる。
【図面の簡単な説明】
【００２１】
【図１】複数の断熱パネルによって断熱された天井構造を示す断面図である。
【図２】断熱パネルによる既存天井のリフォーム方法の一例を示す断面図である。
【図３】ルーバー装置が設けられた天井構造を示す断面図である。
【図４】ルーバー装置が設けられた天井構造の変形例を示す断面図である。
【発明を実施するための形態】
【００２２】
以下、図面を参照して本発明の実施の形態について説明する。
各図において符号１は既存天井を示しており、符号２は壁を示す。すなわち、各図では、既存天井１と壁とがある室内の天井付近が表されており、本実施の形態の天井構造は、当該室の既存天井１に適用される。すなわち、本実施の形態の天井構造は、既存天井１に複数の断熱パネル３が取り付けられてなり、より詳細には、複数の断熱パネル３は、既存天井１に対してジョイナー部材７によって取り付けられている。
【００２３】
既存天井１は、図３に示すように、室内側に天井面を構成する天井材１４と、当該天井材１４が取り付けられる格子枠状の野縁１５と、を有する。また、既存天井１は、一方の壁２と他方の壁２との間に亘って設けられており、既存天井１の上方は、通常人が足を踏み入れない天井裏１ａ（または小屋裏）とされている。
天井材１４としては、合板や石膏ボード等の板材が用いられている。
野縁１５は、図示はしないが、野縁受けや吊木等を介して小屋梁等に吊るされた状態となっている。
また、天井裏１ａには、野縁１５の上面に敷き込まれるようにして天井裏断熱材１６が設けられている。
【００２４】
断熱パネル３は、既存天井１の全面を覆うようにして、かつ室を構成する壁２に極力近づけた状態で既存天井１に取り付けられている（当接してもよい）。また、断熱パネル３としては、本実施の形態においては比較的密度の高いパネル状（ボード状とも言う）のグラスウールが用いられている。
なお、本実施の形態においてはグラスウールを用いたが、これに限られるものではなく、ロックウール等のようなその他の繊維系断熱材や、硬質ウレタンフォーム等のような発泡樹脂系の断熱材を用いてもよい。いずれにしても、パネル状（ボード状）に形成された断熱材を用いるようにする。
また、このような断熱パネル３は、既存天井１に向かって作業を行う作業員が取り扱いやすいサイズであることが望ましい。
【００２５】
断熱パネル３は、矩形板状に形成されることで長辺と短辺とがある状態となっている。本実施の形態においては、その長辺側がジョイナー部材７で保持されているものとする。また、図示はしないが、複数の断熱パネル３は、隣接する断熱パネル３同士が短辺側端面を互いに当接させた状態で既存天井１に取り付けられる。
すなわち、複数の断熱パネル３は、長さ方向両端部がジョイナー部材７によって支持された状態となっている。
なお、本実施の形態においては断熱パネル３の長辺側がジョイナー部材７で保持されるものとしたが、これに限られず、短辺側がジョイナー部材７で保持されるものとしてもよい。
【００２６】
断熱パネル３の長辺側の端部４は、図１，図２に示すように、断面略コ字状に形成されている。これによって、当該端部４には、側方に突出する二つの突出片４ｂ，４ｃと、これら二つの突出片４ｂ，４ｃ間に位置する溝部４ａと、が形成されることになる。
溝部４ａは、端部４の端面において、当該端面の中央に、かつ長さ方向に沿って形成されている。すなわち、溝部４ａは、断熱パネル３の長辺側端部４の端面の中央に、当該長辺の長さ方向に沿って形成される。
また、二つの突出片４ｂ，４ｃのうち溝部４ａよりも室内側に位置する突出片４ｂ（以下、第一突出片４ｂ）は、溝部４ａよりも既存天井１側に位置する突出片４ｃ（以下、第二突出片４ｃ）よりも突出寸法が長く設定されている。つまり、第二突出片４ｃが第一突出片４ｂよりも短く設定されたのは、ジョイナー部材７を収容するスペースを確保するためであり、第一突出片４ｂが第二突出片４ｃよりも長く設定されたのは、室内側からジョイナー部材７への視線を遮るためである。
【００２７】
また、断熱パネル３の室内側面には、クロス等の仕上げ材５が予め貼り付けられているものとする。すなわち、断熱パネル３を既存天井１に取り付けた後に仕上げ材５を断熱パネル３に貼り付けるよりも、断熱パネル３を既存天井１に予め取り付けておいた方が施工性の面で有利になる。
なお、本実施の形態においては断面パネル３の室内側面に仕上げ材５が貼り付けられるものとしたが、後述するシート材６が貼り付けられてもよい。また、その場合、シート材６に仕上げ材５を貼り合わせてもよい。
【００２８】
また、断熱パネル３の既存天井１側面には、例えばプラスティックフィルムやガラス繊維製クロス、ビニール繊維製クロス等の耐気体透過性を有するシート材６が予め貼り付けられているものとする。
なお、耐気体透過性とは、気体がシート材６を構成する物質そのものを透過する（通り抜ける）ことに耐える（防ぐ）ことを意味する。換言すれば、気体がシート材６を構成する物質そのものを透過しない（通り抜けない）ことである。
断熱パネル３の既存天井１側面は、既存天井１に最も近接する面であり、万が一、既存天井１に使用したクロスや接着剤からホルムアルデヒド等の化学物質が発生していた場合には、このような化学物質の室内側への放出をシート材６が遮断する役割を果たす。
なお、本実施の形態においては断熱パネル３の既存天井１側面にシート材６が貼り付けられるものとしたが、
【００２９】
ジョイナー部材７は、短辺側の端面同士を当接させ合った複数の断熱パネル３における連続する長辺同士に亘って設けられる。また、換言すれば、ジョイナー部材７は、複数の断熱パネル３を支持し得る程度に長尺に形成されている。
また、上述のように、断熱パネル３は、既存天井１の全面を覆うようにして、かつ室を構成する壁２に極力近づけた状態で既存天井１に取り付けられている。そのため、ジョイナー部材７は、複数の断熱パネル３のうち隣り合う断熱パネル３，３の側端面間と、複数の断熱パネル３のうち既存天井１の周縁部に沿って配置される断熱パネル３と室内の壁２との間に設けられる。
換言すれば、ジョイナー部材７としては、隣り合う断熱パネル３，３間に設けられる第一形態（ジョイナー部材７Ａ）と、壁際に設けられる第二形態（ジョイナー部材７Ｂ）と、の二種類が用いられる。
【００３０】
そして、このようなジョイナー部材７（７Ａ，７Ｂ）は、図１〜図３に示すように、既存天井１に固定される受け部８と、受け部８に係止されるとともに断熱パネル３を保持する保持部１１と、を備える。なお、本実施の形態の受け部８および保持部１１は押出樹脂成型品とされているが、これに限られるものではなく、例えばアルミ等の金属による押出成形品でもよいし、押出成形品でなくてもよい。
また、第一形態のジョイナー部材７Ａは、受け部８と保持部１１とが左右対称に形成され、後述する固定部９や保持片１２が両側に延びた状態となっている。一方、第二形態のジョイナー部材７Ｂは、後述する固定部９や保持片１２が両側ではなく一方向にのみ延びた状態となっている。
【００３１】
ジョイナー部材７（７Ａ，７Ｂ）についてより詳細に説明する。
受け部８は、固定部９と、被係止部１０と、を有する。
固定部９は、板状に形成されており、ネジや釘等の固定具によって既存天井１に固定される。図示はしないが、ネジや釘等の固定具のための挿通孔が適当な間隔で形成されていてもよい。
被係止部１０は、保持部１１が係止されるものであり、固定部９から保持部１１側（既存天井１固定時の下方）に突出するようにして当該固定部９と一体形成されている。
被係止部１０についてより詳細に説明すると、当該被係止部１０には、保持部１１側に開口する係止溝１０ａが形成されている。当該係止溝１０ａは、固定部９に到達する溝深さに設定されている。さらに、当該係止溝１０ａを形成する両側の溝壁面には対称的に凹凸が形成されている。
【００３２】
保持部１１は、保持片１２と、係止部１３と、を有する。
保持片１２は、板状に形成されており、断熱パネル３の長辺側端部４の端面に形成された溝部４ａに挿入される。また、その先端には既存天井１側に突出する凸部１２ａが一体形成されている。当該凸部１２ａは、保持片１２が溝部４ａに挿入された後の引っ掛かりとなり、保持片１２の溝部４ａからの抜け出し防止に貢献する。
係止部１３は、受け部８に係止されるものであり、保持片１２から受け部８側（既存天井１固定時の上方）に突出するようにして当該保持片１２と一体形成されている。
係止部１３についてより詳細に説明すると、当該係止部１３の両側面には、被係止部１０の係止溝１０ａに形成された凹凸に合致する凹凸が形成されている。また、係止部１３の長さは、係止溝１０ａの溝深さに対応しており、係止部１３を係止溝１０ａの最奥部まで挿入した時に、被係止部１０の突端が保持片１２に当接するように設定されている。
【００３３】
被係止部１０の係止溝１０ａに形成された凹凸と、係止部１３に形成された凹凸は、互いに噛み合うように、かつ複数段に形成されている。そのため、断熱パネル３の取付時には、係止部１３の被係止部１０への挿入度合によって、既存天井１に対する断熱パネル３の位置を段階的に調整することができる。
【００３４】
また、保持部１１の保持片１２は、力を加えればある程度は撓む程度の弾力性（可撓性）を有しており、断熱パネル３の取付時には、その弾力性を利用する。また、断熱パネル３自体にもある程度（既存天井１への取り付け後に形状を保持できる程度）の可撓性があるものとする。
【００３５】
また、受け部８の長さと、保持部１１の長さは等しい長さである必要がない。すなわち、受け部８を保持部１１よりも長尺に設定し、当該長尺な一本の受け部８に対して、複数の短尺な保持部１１を係止させるようにして使用することができる。
【００３６】
また、二つのジョイナー部材７Ｂを隣接させて使用してもよい。すなわち、二つのジョイナー部材７Ｂを壁際に沿って設けるのではなく、既存天井１の中央に設けて、隣り合う断熱パネル３，３を取り付ける際に使用してもよい。この時、二つのジョイナー部材７Ｂ，７Ｂは、双方の受け部８，８の被係止部１０，１０同士が隣接した状態で既存天井１に固定される。
【００３７】
次に、図１〜図３を参照して、断熱パネル３を既存天井１に取り付ける手順について説明する（すなわち、既存天井１のリフォーム方法）。
なお、ジョイナー部材７（７Ａ，７Ｂ）の長さ、複数の断熱パネル３のサイズは、既存天井１の面積に対応したものとなっている。
【００３８】
まず、ジョイナー部材７Ａの受け部８と、ジョイナー部材７Ｂの受け部８と、を既存天井１の所定の位置に予め固定する。すなわち、ジョイナー部材７Ａは、断熱パネル３の長辺側端部４同士が隣り合う位置に合わせて固定され、ジョイナー部材７Ｂは、壁２に沿って位置に固定される。
【００３９】
続いて、保持部１１の保持片１２を、断熱パネル３の溝部４ａに挿入しつつ、保持部１１の係止部１３を、受け部８の被係止部１０に対して係止させる。
より詳細に説明すると、隣り合う断熱パネル３，３を既存天井１に取り付ける場合は、図２に示すように、ジョイナー部材７Ａの双方の保持片１２，１２の先端を、隣り合う断熱パネル３，３の双方の溝部４ａ，４ａに挿入し、隣り合う断熱パネル３，３を上方に押し上げながら、係止部１３を被係止部１０に係止させることで、ジョイナー部材７Ａによって隣り合う断熱パネル３，３を既存天井１に取り付けることができる。
断熱パネル３の壁２側の長辺側端部４は、ジョイナー部材７Ｂによって既存天井１に取り付ける。すなわち、ジョイナー部材７Ｂの保持部１１における保持片１２を、断熱パネル３の溝部４ａに挿入し、当該断熱パネル３を上方に押し上げながら、係止部１３を被係止部１０に係止させることで、ジョイナー部材７Ｂによって断熱パネル３を既存天井１に取り付けることができる。
断熱パネル３を既存天井１に取り付けた時（断熱パネル３が水平状態にある時）、保持片１２の先端は、溝部４ａの最奥部まで到達するように挿入される状態となり、保持部１１によって断熱パネル３を確りと保持できることとなる。
【００４０】
なお、室内の広さに応じて既存天井１の面積も変わり、複数の断熱パネル３の列数が変わり、これに応じて使用されるジョイナー部材７に複数のバリエーションが生じることが考えられる。
【００４１】
室内が狭く、既存天井１の面積も小さければ、複数の断熱パネル３を一列に並べて取り付けるだけで済む場合がある。このような場合は、ジョイナー部材７Ａは使用せず、二本のジョイナー部材７Ｂを使用すれば断熱パネル３を容易に既存天井１に取り付けることができる。
【００４２】
複数の断熱パネル３を二列に並べて既存天井１に取り付ける場合は、中央に配置される一本のジョイナー部材７Ａと、その両側に間隔を空けて配置される壁際の二本のジョイナー部材７Ｂとが使用される。このような場合は、被係止部１０に対する係止部１３の挿入度合を調節したり、断熱パネル３自体および保持片１２の可撓性を利用したりして、二列の断熱パネル３を適宜、既存天井１に取り付けるようにする。また、上述のように受け部８を保持部１１よりも長尺に設定し、当該長尺な一本の受け部８に対して、複数の短尺な保持部１１を係止させる構成を採用してもよい。
なお、このような場合であっても、保持部１１の保持片１２を断熱パネル３の溝部４ａに挿入しつつ、保持部１１を受け部８に対して係止させる工程が含まれる。
【００４３】
複数の断熱パネル３を三列以上に並べて既存天井１に取り付ける際は、二本以上のジョイナー部材７Ａと、壁際の二本のジョイナー部材７Ｂとが使用される。このような場合においても、被係止部１０に対する係止部１３の挿入度合を調節したり、断熱パネル３自体および保持片１２の可撓性を利用したりして、三列の断熱パネル３を適宜、既存天井１に取り付けるようにする。また、上述のように受け部８を保持部１１よりも長尺に設定し、当該長尺な一本の受け部８に対して、複数の短尺な保持部１１を係止させる構成を採用してもよい。
なお、このような場合であっても、保持部１１の保持片１２を断熱パネル３の溝部４ａに挿入しつつ、保持部１１を受け部８に対して係止させる工程が含まれる。
【００４４】
また、既存天井１の面積がさらに広い場合は、二つのジョイナー部材７Ｂを隣接させて使用する方法を採用してもよい。このようなジョイナー部材７Ｂのみを使用する方法を採用すれば、既存天井１の面積の広さが広くても確実に対応することができるので好ましい。
このような場合であっても、当然、保持部１１の保持片１２を断熱パネル３の溝部４ａに挿入しつつ、保持部１１を受け部８に対して係止させる工程が含まれる。
【００４５】
以上のような既存天井１のリフォーム方法においては、ジョイナー部材７Ａとジョイナー部材７Ｂとを適切に使い分けたり、係止部１３の被係止部１０に対する挿入度合を調節したり、断熱パネル３やジョイナー部材７の材質を考慮したりすることで、より上手く断熱パネル３を既存天井１に取り付けることができる。
なお、複数の断熱パネル３を既存天井１に取り付けた後、施主（住人）の任意で、壁際に廻縁を取り付けて、壁２と複数の断熱パネル３（リフォーム後の天井）との間を化粧してもよい。
【００４６】
本実施の形態によれば、断熱パネル３の側端面には、当該側端面の中央に、かつ長さ方向に沿って溝部４ａが形成されており、ジョイナー部材７（７Ａ，７Ｂ）の保持部１１は、断熱パネル３の側端面に形成された溝部４ａに挿入される保持片１２を有するので、保持片１２を断熱パネル３の溝部４ａに挿入しつつ、保持部１１を受け部８に係止させるだけで断熱パネル３を既存天井１に取り付けることができる。これによって、断熱パネル３を既存天井１に取り付ける際に、既存天井１に向かって行われる作業を減らすことができるので、複数の断熱パネル３によって既存天井１における断熱性の向上を図るためのリフォームをより簡易に行うことができる。
また、保持部１１の保持片１２が、断熱パネル３の側端面の中央に形成された溝部４ａに挿入されるので、保持片１２は、断熱パネル３の室内側面よりも既存天井１側の奥まった位置に配置されることになる。これによって、室内側から天井を見上げた際に、保持片１２が目に入りにくくなるので、室内における外観性の向上を図ることができる。
なお、以上のように複数の断熱パネル３を既存天井１に取り付ければ、断熱性の向上だけでなく、吸音性の向上も図ることができる。そのため、上下階間の騒音の軽減や、防音室の構築等にも好適に使用できる。また、以上のような天井構造は、実際に建物に居住する住人の要望があれば、新築時にも採用することができるものとする。
【００４７】
また、保持部１１の係止部１３を、受け部８の被係止部１０に係止させることによって、保持部１１を受け部８に対して確実に係止できる。延いては断熱パネル３を既存天井１に対して確実に取り付けることができる。
また、被係止部１０は保持部１１側に突出し、係止部１３は受け部８側に突出するので、保持部１１も受け部８も互いの方向に向かって突出することになり、係止部１３を被係止部１０に係止させやすくなる。
【００４８】
また、断熱パネル３の側端部４に形成された第一突出片４ｂと第二突出片４ｃのうち溝部４ａよりも室内側に位置する第一突出片４ｂは、溝部４ａよりも既存天井１側に位置する第二突出片４ｃよりも突出寸法が長く設定されているので、室内側に位置する第一突出片４ｂ，４ｂ同士は、既存天井１側に位置する第二突出片４ｃ，４ｃ同士よりも互いに近接した状態となる。すなわち、室内側から天井を見上げた際に、複数の断熱パネル３間の隙間が小さく見えるので、室内における外観性の向上を図ることができる。
【００４９】
また、ジョイナー部材７（７Ａ，７Ｂ）は、複数の断熱パネル３のうち隣り合う断熱パネル３，３の側端面間と、複数の断熱パネル３のうち既存天井１の周縁部に沿って配置される断熱パネル３と室内の壁２との間に設けられているので、既存天井１全体を複数の断熱パネル３によって覆うことができる。これによって、既存天井１における断熱性を向上させることができる。
【００５０】
また、断熱パネル３の既存天井１側面に、耐気体透過性を有するシート材６が貼り付けられているので、万が一、既存天井１に使用したクロスや接着剤から化学物質が発生していた場合には、当該化学物質の室内側への放出をシート材６によって遮断することができる。これによって、室内の居住安全性を向上させることができる。
【００５１】
また、保持部１１の保持片１２を断熱パネル３の溝部４ａに挿入しつつ、保持部１１を、予め既存天井１に固定された受け部８に対して係止させるだけで、断熱パネル３を既存天井１に取り付けることができる。すなわち、保持部１１による断熱パネル３の保持と、断熱パネル３の既存天井１への取付を同時に行うことができるので効率が良い。これによって、断熱パネル３を既存天井１に取り付ける際に、既存天井１に向かって行われる作業を減らすことができるので、複数の断熱パネル３によって既存天井１における断熱性の向上を図るためのリフォームをより簡易に行うことができる。
【００５２】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００５３】
〔変形例１〕
上述した実施の形態では、既存天井１の全面を複数の断熱パネル３によって覆うことを前提としたが、既存天井１の全面を覆わなくてもよい。そこで、断熱パネル３の代わりに、図３に示すような、複数の羽板１９を有するルーバー装置１７を既存天井１において部分的に設置してもよい。
室内の天井付近は、複数の断熱パネル３によって高断熱性を有した状態になっているため、室内の暖気を逃したい場合がある。すなわち、当該ルーバー装置１７は、室内の暖気を天井裏１ａに逃がすために既存天井１に設置されるものである。
【００５４】
ルーバー装置１７は、複数の羽板１９を保持するための保持枠１８を備える。当該保持枠１８は既存天井１に複数の断熱パネル３と並んで取り付けられている。
複数の羽板１９は、保持枠１８に対して回転軸２０を介して取り付けられており、既存天井１から離間する方向に回転可能とされている。また、複数の羽板１９は、断熱パネル３によって構成されている。
【００５５】
さらに、このように構成されたルーバー装置１７は、室内の温度に応じて羽板１９の回転を自動制御する制御手段（図示せず）を備える。当該制御手段は、室内の、特に天井付近の温度に応じて羽板１９の回転を自動制御している。
自動制御の設定は以下のとおりである。
すなわち、例えば室内の天井付近の温度を「温度Ｂ」とし、天井裏１ａの温度を「温度Ａ」とする。また、任意の基準温度も設定する。
そして、「温度Ｂ＞温度Ａ、かつ、温度Ｂ＞基準温度」の条件で羽板１９を回転させて、当該羽板１９を既存天井１から離間させる。
このような条件で羽板１９を適宜回転させて既存天井１から離間させることで、室内の暖気を、既存天井１を通じて天井裏１ａへと逃がすことができる。これによって、室内の温度を調節することができるので、室内の温熱環境を快適にすることができる。
また、天井裏１ａに配線や配管を行っている場合も、これらに関わりなく、複数の断熱パネル３によって既存天井１の断熱を行ったり、ルーバー装置１７によって室内の暖気を天井裏１ａに逃がしたりすることができるので好ましい。
【００５６】
〔変形例２〕
上述した変形例１では、既存天井１に対してルーバー装置１７を設置するものとしたが、建物の新築時に、天井にルーバー装置１７を組み込んでもよい。なお、羽板１９の自動制御は、変形例１と同条件で行われるものとする。
図４は、ルーバー装置１７を新築建物の天井に組み込んだ状態を示しており、天井のうち、ルーバー装置１７が組み込まれる位置には熱溜まり用の空間を形成できるように凹部２１が形成されている。
凹部２１は、天井材１４と一体的に設けられるとともに垂直に配置される垂直面部１４ａと、当該垂直面部１４ａと一体的に設けられるとともに水平に配置される水平面部１４ｂと、壁２を含んで構成されている。また、天井裏１ａのうち天井材１４の上には天井裏断熱材１６が二段に重なって設けられ、水平面部１４ｂの上には天井裏断熱材１６が一段で設けられている。
ルーバー装置１７は、凹部２１の最上方の位置に設置されている。すなわち、保持枠１８が、垂直面部１４ａや水平面部１４ｂ、壁２に対して固定されており、断熱パネル３によって構成された羽板１９が保持枠１８によって保持されている。
羽板１９は、上方に位置する一段の天井裏断熱材１６と、水平面部１４ｂを介して重なり合っており、これによって、天井材１４の上方に配置された二段の天井裏断熱材１６と同等の断熱効果を発揮できるようになっている。
また、羽板１９を回転させて水平面部１４ｂから離間させた際には、水平面部１４ｂを通じて室内の暖気が天井裏１ａに逃げることになる。この時、天井裏１ａにある断熱材は、水平面部１４ｂ上の一段分の天井裏断熱材１６であるため、二段分の天井裏断熱材１６がある天井材１４の位置から暖気を逃がすよりも都合が良い。
【００５７】
〔変形例３〕
上述した変形例１，２では、ルーバー装置１７を天井に設置するものとしたが、これに限られるものではなく、壁や床に対して設置してもよいものとする。すなわち、リフォーム時でも、新築時であっても、住人の、新築・リフォームに関わらず、ルーバー装置１７を壁や床、天井に設置して室内の温熱環境を調整したいという要望があれば、ルーバー装置１７を壁や床に設置することができる。
【００５８】
〔変形例４〕
本変形例４は、参考例として挙げるものである。
すなわち、上述した実施の形態では、断熱パネル３は、その室内側面に仕上げ材５が予め貼り付けられ、既存天井１側面にシート材６が予め貼り付けられるものとした。このような仕上げ材５およびシート材６が貼り付けられた断熱パネル３は、室内の天井や壁、床の仕上げ面を構成する仕上げ用建材（すなわち、内装仕上げ材）として用いることができる。
換言すれば、仕上げ材５およびシート材６が貼り付けられた断熱パネル３であれば、断熱効果を発揮するだけでなく、仕上げ材５による仕上げ施工の簡易化、シート材６による室内の居住安全性の向上を同時に実現することができる。
なお、このような仕上げ材５およびシート材６が貼り付けられた断熱パネル３によれば、室内における断熱効果の発揮、仕上げ施工の簡易化、居住安全性の向上という要望に対して好適に対応することができる。
また、仕上げ用建材（内装仕上げ材）として利用する場合の当該断熱パネル３の取付については、必ずしもジョイナー部材７を用いなくてもよく、その場合は接着剤やその他の固定具を用いるものとする。
【符号の説明】
【００５９】
１  既存天井
１ａ  天井裏
２  壁
３  断熱パネル
４  端部
４ａ  溝部
４ｂ  第一突出片
４ｃ  第二突出片
５  仕上げ材
６  シート材
７  ジョイナー部材
８  受け部
９  固定部
１０  被係止部
１０ａ  係止溝
１１  保持部
１２  保持片
１２ａ  凸部
１３  係止部
１４  天井材
１５  野縁
１６  天井裏断熱材
１７  ルーバー装置
１８  保持枠
１９  羽板
２０  回転軸
【図１】
0006453008.tif 000002
【図２】
0006453008.tif 000003
【図３】
0006453008.tif 000004
【図４】
0006453008.tif 000005